(57)【要約】【課題】タンクおよび配管が予めハウジング内に組み込まれている加圧給水装置の提供。【解決手段】ベース１は圧力タンク３を載置できるタンク受け部１１と第１の内部空間１１２とを有しており、ハウジング２はタンク受け部１１を覆うと共に第２の内部空間２１が画成されるようにベース１に固設されており、圧力タンク３はタンク受け部１１に設置されており且つ内部がダイヤフラム３３により気体チャンバー３２と液体チャンバー３１とに仕切られており液体チャンバー３１に液体流出入口３４が設けられており、配管ユニット４はそれぞれハウジング２の外側に開口するように設けられた第１および第２のパイプ接続口４１、４２と、第１および第２の内部空間１１２、２１に跨って設けられており且つ第１および第２のパイプ接続口４１、４２と液体流出入口３４とを連結している管路４３と、を有していることを特徴とする加圧給水装置。【選択図】図２
0003182783.tif 000002
【実用新案登録請求の範囲】
【請求項１】
ベースに載置されている圧力タンクとこれに連結されている配管ユニットとがハウジング内に組み込まれている加圧給水装置であって、
前記ベースは、前記圧力タンクを載置できるように設けられたタンク受け部と、第１の内部空間と、を有しており、
前記ハウジングは、前記タンク受け部を覆うと共に第２の内部空間が画成されるように、前記ベースに固設されており、
前記圧力タンクは、前記第２の内部空間内において、前記タンク受け部に設置されており、且つ、内部がダイヤフラムにより気体チャンバーと液体チャンバーとに隔離的に仕切られている上、該液体チャンバーに液体流出入口が設けられており、
前記配管ユニットは、それぞれ前記ハウジングの外側に開口するように設けられた第１のパイプ接続口および第２のパイプ接続口と、前記第１の内部空間と前記第２の内部空間とに跨って設けられており且つ前記第１および第２のパイプ接続口と前記液体流出入口とを連結している管路と、を有していることを特徴とする加圧給水装置。
【請求項２】
前記ハウジングは、前記タンク受け部の上方に配置されている上壁と、該上壁から前記ベースに向かって下方に延伸している周壁と、を有しており、
前記第１のパイプ接続口は、前記上壁に外側に開口するように設けられており、
前記第２のパイプ接続口は、前記周壁に外側に開口するように設けられており、
前記タンク受け部は、前記圧力タンクの前記液体流出入口と対応する位置に前記第１の内部空間に開放するように形成された連通孔を有しており、該連通孔は前記液体流出入口に貫通されている
ことを特徴とする請求項１に記載の加圧給水装置。
【請求項３】
前記管路は、２開口の内の１つが前記液体流出入口と連結されているＬ字型パイプと、３開口の内の２つが前記第１および第２のパイプ接続口にそれぞれ連結されているＴ字型パイプと、該Ｌ字型パイプのもう１つの開口と該Ｔ字型パイプのもう１つの開口とを連通させているフレキシブルパイプと、を有している
ことを特徴とする請求項２に記載の加圧給水装置。
【請求項４】
前記タンク受け部は、前記ベースの上面の一部が窪むことにより形成されており、
前記ベースは更に、前記タンク受け部を形成する窪みの周縁から前記ハウジングの前記周壁に向かってはみ出すように延伸しており且つ前記タンク受け部と前記ハウジングと共にそれらの間に前記第２の内部空間を画成している延長板を有しており、
前記延長板は、前記タンク受け部と共に、前記第２の内部空間と前記第１の内部空間とを仕切っており、
前記Ｌ字型パイプは該第１の内部空間に配置されており、また、前記Ｔ字型パイプは該第２の内部空間に配置されている上、その前記３開口の内のもう１つの開口が該第２の内部空間から前記延長板を貫通して該第１の内部空間内に突入するように配置されている
ことを特徴とする請求項３に記載の加圧給水装置。
【請求項５】
前記圧力タンクは、前記気体チャンバーが上にあり、前記液体チャンバーが下にあり、前記気体チャンバーに更にバルブを有しており、該バルブを通すための貫通孔が前記ハウジングに設けられている
ことを特徴とする請求項２に記載の加圧給水装置。
【請求項６】
更に、ポンプ設置台を具えており、
前記ハウジングは、前記タンク受け部の上方に配置されている上壁と、該上壁から前記ベースに向かって下方に延伸している周壁と、を有しており、
前記ポンプ設置台は、前記上壁の上部に設けられている
ことを特徴とする請求項１に記載の加圧給水装置。
【請求項７】
前記ハウジングは更に、前記タンク受け部の上方に配置されている上壁と、該上壁から前記ベースに向かって下方に延伸している周壁と、前記周壁の下端から前記ベースの上面と平行となるように外側に向かって延伸するように設けられたフランジ部と、を有しており、該フランジ部は前記ベースに固定されている
ことを特徴とする請求項１に記載の加圧給水装置。
【考案の詳細な説明】
【技術分野】
【０００１】
本考案は、加圧給水装置に関し、特に圧力タンクおよび配管がハウジング中に組み込まれた加圧給水装置に関する。
【背景技術】
【０００２】
特許文献１では、給水の安定を目的とした加圧給水装置が開示されている。しかしながら、このような加圧給水装置では、タンク内の圧縮空気が水中に溶解してしまいタンクの内圧が不足し、安定した給水ができなくなるため、圧縮空気を頻繁に供給する必要がある。
【０００３】
上記問題点を解決するべく、特許文献２では、隔離された液体チャンバーと気体チャンバーとが設けられるようにタンク内をダイヤフラムで仕切ることで、タンク内の圧縮空気が水中に溶解してしまうことを防いだものが開示されている。
【先行技術文献】
【特許文献】
【０００４】
【特許文献１】特開昭５５‐１２６６２７号公報
【特許文献２】米国特許第７３６３９４４号明細書
【考案の概要】
【考案が解決しようとする課題】
【０００５】
しかしながら、特許文献２では、タンクの構成のみが示されており、タンクに繋がる配管をどう構成するかや、タンク並びに配管を塵や酸性雨といった外部環境から保護するハウジングの構造等が全く示されておらず、加圧給水装置として用いるには構成が不十分であった。
【０００６】
また、特許文献１では、タンクに加えてこれにつながる配管の構成も示されているが、配管が比較的複雑であり、また、特許文献２と同じく、加圧給水装置を保護するハウジング等については全く示唆されておらず、このまま設置すれば外部環境にさらされて汚れたり錆びたりしてしまう。
【０００７】
そこで本考案は、上記問題点を解決するべく、タンクおよび配管が予め組み立てられており、且つこれらを保護するためのハウジングを有する加圧給水装置の提供を目的とする。
【課題を解決するための手段】
【０００８】
上記目的を達成するために、本考案は、
ベースに載置されている圧力タンクとこれに連結されている配管ユニットとがハウジング内に組み込まれている加圧給水装置であって、
前記ベースは、前記圧力タンクを載置できるように設けられたタンク受け部と、第１の内部空間と、を有しており、
前記ハウジングは、前記タンク受け部を覆うと共に第２の内部空間が画成されるように、前記ベースに固設されており、
前記圧力タンクは、前記第２の内部空間内で前記タンク受け部に設置されており、且つ、内部がダイヤフラムにより気体チャンバーと液体チャンバーとに隔離的に仕切られている上、該液体チャンバーに液体流出入口が設けられており、
前記配管ユニットは、それぞれ前記ハウジングの外側に開口するように設けられた第１のパイプ接続口および第２のパイプ接続口と、前記第１の内部空間と前記第２の内部空間とに跨って設けられており且つ前記第１および第２のパイプ接続口と前記液体流出入口とを連結している管路と、を有していることを特徴とする加圧給水装置を提供する。
【考案の効果】
【０００９】
上記構成により、圧力タンクとこれに連結される配管が予め組み立てられているので、設置時の配管の手間を省くことができる。また、圧力タンクと配管とがハウジングにより覆われているので、外部環境から保護することができる。
【図面の簡単な説明】
【００１０】
【図１】本考案に係る加圧給水装置の実施形態を示す斜視図である。
【図２】図１におけるＩＩ‐ＩＩ線に沿った断面図である。
【考案を実施するための形態】
【００１１】
以下、添付図面を参照しながら、本考案の実施形態を具体的に詳しく説明する。
【００１２】
図１は本考案に係る加圧給水装置の一実施形態を示した斜視図であり、図２は図１におけるＩＩ‐ＩＩ線に沿った縦断面図である。
【００１３】
本考案に係る加圧給水装置は、概説すると、ベース１と、ベース１に載置されている圧力タンク３と、圧力タンク３に連結されている配管ユニット４と、が、ポンプ設置台５を具えたハウジング２内に組み込まれるようにしてなったものである。
【００１４】
ベース１は、圧力タンク３を載置できるように上面の一部が窪むことにより形成されたタンク受け部１１を有しており、また、その内部に第１の内部空間１１２を有している。タンク受け部１１は、ベース１の上面の一部がＵ字型に窪んでなったＵ字壁１１１により形成されており、加えて、それぞれ周方向に間隔を置いてＵ字壁１１１の中心から周辺へと放射状に延伸するようにＵ字壁１１１から突出している複数のリブ（図示せず）を有するように形成されてもよい。また、タンク受け部１１を成しているＵ字壁１１１の周縁１１０からは、ハウジング２の後述する周壁２６に向かってはみだすように延長板１３が延伸している。
【００１５】
ハウジング２は、ベース１の上面に設けられているタンク受け部１１を覆うと共にその内側に第２の内部空間２１が画成されるようにベース１に固定されている。具体的に言うと、ハウジング２は、タンク受け部１１の上方に配置されている上壁２５と、上壁２５の周縁からベース１に向かって下方に延伸するように設けられた周壁２６と、周壁２６の下端２６１からベース１の上面と平行となるように外側に向かって延伸するように設けられたフランジ部２３と、を有しており、フランジ部２３がベース１の上面に複数のねじ６、６…で螺設されることにより、ハウジング２はベース１に固定されている。
【００１６】
ハウジング２内の第２の内部空間２１は、ベース１のタンク受け部１１と延長板１３とハウジング２の上壁２５および周壁２６とからそれらの間に画成されており、ベース１内の第１の内部空間１１２とは延長板１３およびタンク受け部１１により仕切られている。また、本実施形態では、第２の内部空間２１が第１の内部空間１１２の上方に位置するように、つまりハウジング２がベース１の上方に位置するように構成されている。
【００１７】
なお、ハウジング２は、プラスチック材料からなっているが、それに限らず、耐食性および耐候性のある材料からなれば良い。
【００１８】
圧力タンク３は、ハウジング２内の第２の内部空間２１内において、ベース１のタンク受け部１１に設置されている。また圧力タンク３は、内部が例えば柔軟弾性材料からなるダイヤフラム３３により、上にある気体チャンバー３２と下にある液体チャンバー３１とに隔離的に仕切られている。液体チャンバー３１の下には液体流出入口３４が液体チャンバー３１と流体的に連通して下方に突出するように設けられており、気体チャンバー３２の上には気体用バルブ３５が気体チャンバー３２と流体的に連通して上方に突出するように設けられている。
【００１９】
また、ベース１のタンク受け部１１には、圧力タンク３の液体流出入口３４と対応する位置に第１の内部空間１１２に開放するように連通孔１２が形成されており、液体流出入口３４が連通孔１２を貫通している。同様に、ハウジング２の上壁２５には、圧力タンク３のバルブ３５と対応する位置に外側に開放するように貫通孔２２が形成されており、バルブ３５が貫通孔２２を貫通している。
【００２０】
ポンプ設置台５は、ハウジング２の上壁２５の上部に設けられており、外部のポンプ（図示せず）を載置するためのものである。
【００２１】
なお、本実施形態では、上述のように、圧力タンク３内において、気体チャンバー３２が上に、液体チャンバー３１が下にあるように、つまりダイヤフラム３３を水平方向に配置したが、これに限らず、例えばダイヤフラム３３を垂直方向に配置して、気体チャンバー３２と液体チャンバー３１とが左右のどちらか一方と他方にあるようにしてもよい。
【００２２】
配管ユニット４は、それぞれハウジング２の外側に開口するように設けられた第１のパイプ接続口４１および第２のパイプ接続口４２と、第１の内部空間１１２と第２の内部空間２１とに跨って設けられており且つ第１および第２のパイプ接続口４１、４２と圧力タンク３の液体流出入口３４とを連結している管路４３と、を有している。
【００２３】
具体的に言うと、第１のパイプ接続口４１はハウジング２の上壁２５に外側に開口して且つ上壁２５に支持されるように、第２のパイプ接続口４２はハウジング２の周壁２６に外側に開口して且つ周壁２６に支持されるようにそれぞれ設けられている。
【００２４】
管路４３は、２つの開口の内の１つが液体流出入口３４と連結されているＬ字型パイプ４３１と、３つの開口の内の２つが第１および第２のパイプ接続口４１、４２にそれぞれ連結されているＴ字型パイプ４３２と、Ｌ字型パイプ４３１のもう１つの開口とＴ字型パイプ４３２のもう１つの開口とを連通させているフレキシブルパイプ４３３と、を有している。
【００２５】
つまり、Ｌ字型パイプ４３１は、ベース１側の第１の内部空間１１２に配置されており、一方、Ｔ字型パイプ４３２は、ハウジング２側の第２の内部空間２１に配置されている上に、その上記３つの開口の内のＬ字型パイプ４３１に連通されている開口が、第２の内部空間２１からベース１の延長板１３を貫通して第１の内部空間１１２内に突入するように配置されている。
【００２６】
なお、フレキシブルパイプ４３３は、例えばゴムや樹脂などの柔軟性材料でできたホースで代用されてもかまわない。
【００２７】
第１のパイプ接続口４１は、貯水側からくる配管（図示せず）と接続されるためのものであり、第２のパイプ接続口４２は、給水先へ水を送るための配管（図示せず）と接続されるためのものである。また、第１および第２のパイプ接続口４１、４２それぞれの設置箇所は、本実施形態で示したものに限らず、実用上の利便性により定められればよい。
【００２８】
以上の構成により、本考案に係る圧力給水装置によれば、ベース１に載置された圧力タンク３とこれに連結された配管ユニット４とが予め簡易な構造で組み立てられているので、圧力給水装置の設置後の配管の手間を大いに省くことができる。
【００２９】
また、圧力タンク３と配管ユニット４とがハウジング２に覆われるようにハウジング２およびベース１内に組み込まれているので、圧力タンク３と配管ユニット４とが例えば塵や雨水などの外部環境から保護されており、これにより圧力給水装置の耐用年数を延ばすことができる。
【００３０】
以上、本考案の好ましい実施形態を説明したが、本考案はこれに限定されるものではなく、その要旨を逸脱しない範囲で種々変更可能であることはいうまでもない。
【符号の説明】
【００３１】
１            ベース
１１          タンク受け部
１１０        周縁
１１１        Ｕ字壁
１１２        第１の内部空間
１２          連通孔
１３          延長板
２            ハウジング
２１          第２の内部空間
２２          貫通孔
２３          フランジ部
２５          上壁
２６          周壁
２６１        下端
３            圧力タンク
３１          液体チャンバー
３２          気体チャンバー
３３          ダイヤフラム
３４          液体流出入口
３５          バルブ
４            配管ユニット
４１          第１のパイプ接続口
４２          第２のパイプ接続口
４３          管路
４３１        Ｌ字型パイプ
４３２        Ｔ字型パイプ
４３３        フレキシブルパイプ
５            ポンプ設置台
【図１】
0003182783.tif 000003
【図２】
0003182783.tif 000004